(57)【要約】      （修正有）【課題】本来の給電系統を維持しながら、同時に無停電照明を達することができる、無停電照明装置を提供する。【解決手段】無停電照明装置は主に、無線発信器１０と照明駆動モジュール２から構成され、そのうち、前記照明駆動モジュールは無線受信器２０、駆動モジュール２２、給電装置２４、充電装置２６から構成する。上述の無線発信器は電力信号があるという検出結果を無線受信器に送信することができ、前記無線発信器は一定の送信範囲内で前記無線受信器に対し有無の電力信号を継続して提供する。無線受信器が電力信号を受信できないとき、無線受信器と相互に接続された駆動モジュールが給電装置を作動させて電力を発生し、照明器具を駆動して光エネルギーを継続して発生させる。上述の構造により、一般の給電系統中で本来の作用方式を維持すると同時に、照明装置の照明状態を維持することができる。【選択図】図１
0003159244.tif 000002
【実用新案登録請求の範囲】
【請求項１】
無停電照明装置であって、電源検出装置と、照明駆動モジュールを含み、
前記電源検出装置が室内電力線に接続された交流変圧器を内蔵し、前記交流変圧器に、電力信号を検出し、且つ無線発信器に接続された電力検出ユニットが接続され、
前記照明駆動モジュールが照明器具に内蔵され、前記照明器具が前記室内電力線と電気的接続を成し、前記照明駆動モジュールが、
前記無線発信器の発信する電力信号を受信する無線受信器と、
前記無線受信器と電路接続され、給電装置を起動し、前記給電装置に電気エネルギーを発生させて前記照明器具に供給させる駆動モジュールと、
前記給電装置と電気的回路を成し、前記給電装置の内部電力を維持する充電装置と、
を含むことを特徴とする、無停電照明装置。
【請求項２】
前記照明器具に、通電状態の選択に用いる照明スイッチが接続されたことを特徴とする、請求項１に記載の無停電照明装置。
【請求項３】
前記無線発信器の発信する前記電力信号の範囲に少なくとも１つの無線受信器を含むことを特徴とする、請求項１に記載の無停電照明装置。
【請求項４】
前記照明器具に少なくとも１つの発光体を設置したことを特徴とする、請求項１に記載の無停電照明装置。
【請求項５】
前記発光体が発光ダイオード、冷陰極管、気体放電ランプ、ハロゲンランプのいずれかであることを特徴とする、請求項４に記載の無停電照明装置。
【考案の詳細な説明】
【技術分野】
【０００１】
本考案は照明装置に関し、特に本来の給電系統を維持しながら、同時に無停電照明を達することができる、無停電照明装置に関する。
【背景技術】
【０００２】
緊急照明設備とは一般に正常な電力が中断されたときに照明効果を継続して提供できる照明装置を指し、それにより家庭や職場、緊急避難経路に適度な照明を維持して短時間内に作業内容を終わらせたり、緊急状況に遭遇したとき円滑に避難できるようガイドしたりすることができる。
【０００３】
現在市販されている緊急照明設備はほとんどが一般的な非常口箇所と各通路の曲がり角箇所に運用され、この設置方式は正常な電力が中断したとき、それまで通り一定の明るさの照明を維持し、正確な避難経路を示すためのものである。近年、家庭生活の品質の向上に伴い、建築物の設計は快適さだけでなく、安全性も備えていることがより重視されるようになっている。
【０００４】
現在市場で見受けられる緊急照明設備はほとんどが壁掛け式の緊急照明灯が主であり、このような緊急照明灯は多くが人の流動量が大きく、且つ必要な通路箇所及び各主要非常口箇所に設置される。このような緊急照明設備は内部に交流・直流電流自動切換装置を備え、平時は交流電源で相当する直流電源を出力してバックアップ用電池に対し自動的に充電を行い、電力量が飽和に達すると自動的に充電を停止し、停電時には自動的にバックアップ用電路に切換え、バックアップ用電源で給電し、緊急照明として利用することができる。
【０００５】
上述の緊急照明設備は主に独立した方式で各種場所に設置され、且つ本来の照明設備と異なる電路系統に属しているため、消費者は緊急照明設備を単独で購入して、すべての避難経路の目立つ場所に設置する必要があるが、このような緊急照明設備の設計は壁面または非常口の上に設置する必要があるため、緊急照明設備の光線は壁面から外に向かって発散され、光源の照射範囲が小さいだけでなく、照射の明るさも相対して低く、有効且つ明確な光源を提供することができない。上述の問題のほか、緊急照明設備を多く設置する必要があるとき、全体の保守費用及び維持費用も相対して増加する。
【０００６】
このため、上述の従来品の問題と欠点をいかに解決するかが、本考案の考案者と関連産業に従事する企業が改善を研究する方向性である。
【考案の概要】
【考案が解決しようとする課題】
【０００７】
本考案の考案者は上述の欠点に鑑み、関連資料を収集し、多方面の評価と検討を経て、関連産業において蓄積した長年の経験に基づき、試作と修正を重ね、ついに直接現有の照明器具を代替でき、室内の電力配線を変更する必要がない無停電照明装置の実用新案の開発に至った。
【０００８】
本考案の主な目的は、本来の給電系統を維持しながら、同時に無停電照明を達することができる、無停電照明装置を提供することにある。
【０００９】
本考案の別の目的は、本来の室内電力配線を維持して無停電の緊急照明を得ることができる、無停電照明装置を提供することにある。
【００１０】
本考案のさらに別の目的は、一般照明及び緊急照明が同一の照明器具を共用し、照明器具の浪費を減少すると共に、室内装飾を美化することができる、無停電照明装置を提供することにある。
【課題を解決するための手段】
【００１１】
本考案の無停電照明装置は主に、無線発信器と照明駆動モジュールから構成され、そのうち、前記照明駆動モジュールは無線受信器、駆動モジュール、給電装置、充電装置から構成され、上述の無線発信器は電力信号があるという検出結果を無線受信器に送信することができ、前記無線発信器は一定の送信範囲内で前記無線受信器に対し有無の電力信号を継続して提供し、無線受信器が電力信号を受信できないとき、無線受信器と相互に接続された駆動モジュールが給電装置を作動させて電力を発生し、照明器具を駆動して光エネルギーを継続して発生させ、上述の構造により、一般の給電系統中で本来の作用方式を維持すると同時に、照明装置の照明状態を維持することができる。
【図面の簡単な説明】
【００１２】
【図１】本考案の最良の実施例のブロック図である。
【図２】本考案の一般的な室内電力線における運用のフローチャートである。
【図３】本考案の室内電力線の給電が停止したときのフローチャートである。
【図４】本考案の最良の実施例の使用状態を示す概略図である。
【考案を実施するための形態】
【００１３】
上述の目的及び効果を達するため、本考案の採用する技術手段及び構造について、以下、図面と本考案の最良の実施例に基づきその特徴と機能を詳細に説明する。
【００１４】
図１に本考案の最良の実施例のブロック図を示す。同時に図４も参照する。これらの図からはっきりと分かるように、本考案の無停電照明装置は、主に電源検出装置１と照明駆動モジュール２から構成され、そのうち、前記電源検出装置１は室内電力線１４に接続された交流変圧器１６を内蔵し、前記交流変圧器１６には、電力信号の検出に用いられ、且つ無線発信器１０に接続された電力検出ユニット１２が接続される。前記照明駆動モジュール２は無線受信器２０、駆動モジュール２２、給電装置２４、充電装置２６から構成され、また前記照明駆動モジュール２は照明器具３に組み込まれる。前記照明器具３は少なくとも１つの発光体４（例：発光ダイオード、冷陰極管、気体放電ランプ、ハロゲンランプ等）が設置され、且つ照明器具３上に通電状態の選択に用いる照明スイッチ３０が接続される。前記無線発信器１０は電力検出ユニット１２が設置され、前記電力検出ユニット１２を介して室内電力線１４に接続され、電力の発生があるか否かを検出し、同時に検出結果を無線発信器１０により前記無線受信器２０に送信し、前記無線発信器１０が送信する電力信号の範囲内に含まれる前記無線受信器２０すべてが電力信号を受信できる。このほか、前記給電装置２４は充電装置２６と電気回路を成し、前記給電装置２４の内部電力を維持する。
【００１５】
上述の構造、構成設計に基づき、本考案の使用作動状況について以下で説明する。同時に図２と図３の本考案の一般的な室内電力線における運用のフローチャート及び室内電力線の給電が停止したときのフローチャートをそれぞれ示す。これらの図からはっきりと分かるように、室内電力線での継続給電を例とすると、電源検出装置１に室内電力線１４と接続された交流変圧器１６が内蔵されているため、室内電力線１４の伝送する電力信号を接受することができ、交流変圧器１６が一般的な室内電力線１４の電流を検出すると、無線発信器１０と相互に接続された電力検出ユニット１２が室内電力線１４の電力状態を検出し、このとき無線発信器１０が電力信号を継続して無線受信器２０に対し発信する。
【００１６】
また、照明器具３に接続された照明スイッチ３０は使用者が通電状態を選択するために用いることができ、照明スイッチ３０をオンにすると、照明器具３は室内電力線１４から提供される電力を接受して光源を発生し、同時に充電装置２６を起動して、充電装置２６により給電装置２４内部の電力を高めると共に維持する。
【００１７】
室内電力線の給電停止を例とすると、無線発信器１０は一般の室内電力線１４に接続され、且つ電力検出ユニット１２により電力の検出を行い、室内電力線１４の電力を検出できないとき、無線発信器１０が電力信号の出力を停止するため、無線受信器２０は相対して電力信号を受信することができなくなる。
【００１８】
無線受信器２０が一定時間内に電力信号を受信できないとき、照明駆動モジュール２内の駆動モジュール２２が給電装置２４を起動し、給電装置２４内の電力を利用して照明器具３の光源を維持させるため、照明器具３の照明状態を維持することができ、同時に交流変圧器１６による室内電力線１４に対する検出を継続し、交流変圧器１６が室内電力線１４に対し電力を検出できたとき、電源検出装置１を再度作用させる。
【００１９】
図４に本考案の最良の実施例の使用状態の概略図を示す。この図からはっきりと分かるように（図1を同時に参照する）、照明駆動モジュール２は照明器具３に内蔵され、前記照明器具３は少なくとも１つの発光体４（前記発光体４は発光ダイオードを例とする）が設けられており、使用者は能在本来の室内電力配線を給電の基礎として、前記室内電力配線の規格に合う照明器具３を組み合わせ、無停電の緊急照明を得ることができ、さらに照明器具の浪費を減少すると同時に室内装飾を美化することができる。上述の利点のほか、使用者は必要とする使用数量に基づき、隨時照明駆動モジュール２を備えた照明器具３に交換することができ、無線発信器１０が送信する電力信号範囲内に含まれる無線受信器２０はすべて電力信号を受信できるため、効果的に照明器具３の無停電の安定性を制御し、照明器具３を無停電の状態に維持することができる。
【００２０】
以上の説明は本考案の最良の実施例であり、本考案の特許範囲を限定することはなく、本考案の明細書及び図面の内容を運用した簡易な修飾及び同等効果の構造変化はすべて本考案の特許範囲内に含まれる。
【００２１】
上述をまとめると、本考案の無停電照明装置は使用時にその効果と目的を確実に達成することができるため、本考案は実用性に優れた創作であり、実用新案登録出願の要件を満たしているため、法に基づきここに出願を提出するものである。
【符号の説明】
【００２２】
１        電源検出装置
１０      無線発信器
１２      電力検出ユニット
１４      室内電力線
１６      交流変圧器
２        照明駆動モジュール
２０      無線受信器
２２      駆動モジュール
２４      給電装置
２６      充電装置
３        照明器具
３０      照明スイッチ
４        発光体
【図１】
0003159244.tif 000003
【図２】
0003159244.tif 000004
【図３】
0003159244.tif 000005
【図４】
0003159244.tif 000006